(57)【要約】【課題】毛髪性状を手触り感に対応して計測し表示することを可能とすることを課題とする。【解決手段】センサ装置１２が、ステップモータ３０によって、Ｘ１方向に移動される。センサ装置１２は、センサモジュール２０と、矩形状のベース１３と、アクリル板部材１４と、矩形状のスポンジゴム部材１５と、支柱部材１６と、矩形状の上板１７とを有する構成であり、サンプル毛髪をスポンジゴム部材１５と接触子２１とで挟む。センサ装置１２が、サンプル毛髪を挟みつつ髪をとかすように移動して、サンプル毛髪を走査する。【選択図】図１
2007252657.tif 000002
【特許請求の範囲】
【請求項１】
センサ装置と、該センサ装置を移動させる移動手段とを有し、前記該センサ装置が前記移動手段によって移動されてサンプル毛髪を走査する構成の毛髪性状計測装置であって、
前記センサ装置は、接触子を有するセンサモジュールと、スポンジゴム部材とを対向して設けた構成であり、
前記接触子と前記スポンジゴム部材との間に前記サンプル毛髪を挟みつつ、前記センサ装置が移動して該サンプル毛髪を走査する構成としたことを特徴とする毛髪性状計測装置。
【請求項２】
請求項１に記載の毛髪性状計測装置において、
前記センサ装置は、
前記スポンジゴム部材がベース上に設けられ、
該ベース上に複数の支柱部材が立設してあり、
該支柱部材は、前記センサモジュールの高さ位置を決定する構造部を有し、
前記センサモジュールが、前記支柱部材の前記構造部によって高さ位置を決定されている構成としたことを特徴とする毛髪性状計測装置。
【請求項３】
請求項１に記載の毛髪性状計測装置において、
前記移動手段は、最初に、サンプル毛髪の固定端と前記センサ装置との間に存在する弛みを解消するために移動させる工程を行い、一端停止させ、次いで、サンプル毛髪の性状のデータを取り出すに適した速度で移動させる工程を行う構成であることを特徴とする毛髪性状計測装置。
【請求項４】
請求項１乃至請求項３のうち何れか一項に記載の毛髪性状計測装置において、
前記センサ装置から出力されたデータを、その分散値が評価パラメータとなるように処理するデータ処理手段と、
該データ処理手段によって求められた分散値を表示する表示装置とを更に有する構成としたことを特徴とする毛髪性状計測装置。
【請求項５】
請求項１乃至請求項３のうち何れか一項に記載の毛髪性状計測装置において、
前記センサ装置から出力されたデータを、そのパワースペクトル密度の面積が評価パラメータとなるように処理するデータ処理手段と、
該データ処理手段によって求められたパワースペクトル密度の面積を表示する表示装置とを更に有する構成としたことを特徴とする毛髪性状計測装置。
【請求項６】
請求項１乃至請求項３のうち何れか一項に記載の毛髪性状計測装置において、
前記センサ装置から出力されたデータを、そのピーク誘起起電力の最小値が評価パラメータとなるように処理するデータ処理手段と、
該データ処理手段によって求められたピーク誘起起電力の最小値を表示する表示装置とを更に有する構成としたことを特徴とする毛髪性状計測装置。
【発明の詳細な説明】
【技術分野】
【０００１】
本発明は毛髪性状計測装置に係り、特に、人の毛髪の性状を計測して数値として表示する毛髪性状計測装置に関する。
【０００２】
人の毛髪は、ブラッシング等の物理的要因、ブリーチ剤などの化学的要因、紫外線などの外的環境要因により損傷を受けることが多く、毛髪のケアに対する意識が高まって来ている。また、損傷を受けた毛髪は、コンディショナー成分の含まれているシャンプーで洗浄し、その後にコンディショナー処理を施すことによって、損傷が回復される。
【０００３】
シャンプー等を開発する現場、シャンプー等を販売する現場では、毛髪の損傷の程度、損傷の回復の程度である、毛髪の性状を、客観的に評価する装置の開発が望まれている。
【背景技術】
【０００４】
従来、人の毛髪は性状を計測して数値として表示する試みがなされている。例えば、毛髪の物理的特性である、表面摩擦係数、断面の形状、曲げこわさ等を測定して、人の毛髪は性状を数値として表示しようとしていた。
【特許文献１】特開２００４−３０５３５２号公報
【発明の開示】
【発明が解決しようとする課題】
【０００５】
しかし、これらの測定では、損傷を受けた毛髪の数値と、コンディショナー処理を施した毛髪の数値とに、大きな差異が表れず、人の毛髪の性状を数値として表示するのには、適当ではなかった。
【０００６】
なお、毛髪性状を表す数値は、損傷を受けた毛髪の数値と、コンディショナー処理を施した毛髪の数値とに、大きな差異が表れることの他に、この数値が、人が毛髪に手櫛を入れた場合に手の指が感ずる手触り感（なめらか、しっとり、パサつき、しなやか、さらさら等）に対応するものであることが望ましい。
【０００７】
なお、美容スタッフが毛髪に手櫛を入れるなどして触れた場合に、図７（Ｅ）に示す未処理の損傷サンプル毛髪Ｂ（Ｎ）と７図（Ｆ）に示すコンディショナー処理済み損傷サンプル毛髪Ｂ（ＳＣ）とでは差異があり、同じく、図７（Ｂ）に示す未処理の健康サンプル毛髪Ｇ（Ｎ）と７図（Ｃ）に示すコンディショナー処理済み健康サンプル毛髪Ｇ（ＳＣ）とでも差異があった。即ち、コンディショナー処理を行うと、損傷している毛髪の場合でも、健康な毛髪の場合でも、手触り感が改善されていることが分かっている。
【０００８】
そこで、本発明は、上記課題を解決した毛髪性状計測装置を提供することを目的とする。
【課題を解決するための手段】
【０００９】
上記課題を解決するため、本発明は、センサ装置と、該センサ装置を移動させる移動手段とを有し、前記該センサ装置が前記移動手段によって移動されてサンプル毛髪を走査する構成の毛髪性状計測装置であって、前記センサ装置は、接触子を有するセンサモジュールと、スポンジゴム部材とを対向して設けた構成であり、前記接触子と前記スポンジゴム部材との間に前記サンプル毛髪を挟みつつ、前記センサ装置が移動して該サンプル毛髪を走査する構成としたことを特徴とする。
【発明の効果】
【００１０】
接触子とスポンジゴム部材との間にサンプル毛髪を挟みつつ、センサ装置が移動してサンプル毛髪を走査するため、サンプル毛髪の走査をサンプル毛髪に適度の適度のテンションが作用して張った状態にあるサンプル毛髪に対してなされることになり、毛髪性状計測を精度良く行うことが出来る。
【発明を実施するための最良の形態】
【００１１】
次に本発明の実施の形態について説明する。
【実施例１】
【００１２】
［毛髪性状計測システム１０の構成］
図１は本発明の実施例１になる毛髪性状計測システム１０を示す。毛髪性状計測システム１０は、毛髪性状計測装置１１と、制御装置１００と、表示装置１１０とを有し、毛髪性状計測装置１１が制御装置１００によって動作されて毛髪性状計測し、計測結果が制御装置１００によって適宜処理されて、その結果が、表示装置１１０に、美容スタッフが毛髪に手櫛を入れた場合の感覚に対応したグラフ等で表示される構成である。
【００１３】
Ｘ１−Ｘ２は毛髪性状計測装置１１の長手方向、Ｙ１−Ｙ２は幅方向、Ｚ１−Ｚ２は高さ方向である。
［毛髪性状計測装置１１の構成］
毛髪性状計測装置１１は、センサ装置１２が、ステップモータ３０によって、ステージレール４０に沿ってＸ１方向に移動されるように構成してあり、このときに、センサ装置１２が、サンプル毛髪を挟みつつ髪をとかすように移動する構成である。
【００１４】
センサ装置１２は、図２に示すように、センサモジュール２０と、矩形状のベース１３と、アクリル板部材１４と、矩形状のスポンジゴム部材１５と、支柱部材１６と、矩形状の上板１７とを有する構成であり、センサモジュール２０が取外し可能であり、上面が開放可能である構成である。
【００１５】
センサモジュール２０は、アクリル製の接触子２１が偏平の四角形のケース２２の下面からＺ２方向に突き出て設けてあり、且つ、ケース２２の内部に、高分子圧電材料であるＰＶＤＦ(poly vinylidene fluoride,ポリフッ化ビニリデン)フィルム２３を有し、接触子２１の振動によって圧力をうけてＰＶＤＦフィルム２３が電圧を発生する構成である。ＰＶＤＦフィルム２３は、人の感覚受容器であるパチニ小体(pacini corpuscle)と同様の出力特性を有し、且つ、柔軟性を有する圧電ポリマーである。また、ＰＶＤＦフィルム２３は、圧力を受けることで、受けた圧力に比例する誘起起電力（Ｖｉ）を発生することが確認されている。パチニ小体は、手の指の触受容器の一つであり、皮膚変位の加速度を検出もので、２００Ｈｚ前後の周波数の触圧に感度が高く、接触時に最初に興奮するものであり、人が毛髪に手櫛を入れた場合に手の指が感ずる手触り感を起こさせる主要部である。なお、ＰＶＤＦフィルム２３は、矩形板状のシリコンゴム部材２４に下面に貼り付けて有り、保護のためアセテートフィルム２５によって覆われており、シリコンゴム部材２４と共にケース２２の内部に設けてある。このセンサモジュール２０は上板１７の下面に取り付けてある。接触子２１は、Ｙ方向上、全部のサンプル毛髪に接触する長さを有する。上板１７は、各コーナ部に孔１７ａを有する。
【００１６】
ベース１３の上面にアクリル板部材１４が固定してあり、このアクリル板部材１４の上面にスポンジゴム部材１５が貼り付けてある。スポンジゴム部材１５は、サンプル毛髪が置かれる台として機能し、且つ、接触子２１と対向する。スポンジゴム部材１５は、発泡した柔軟なゴム製であり、例えば、和気産業のボロンスポンジ粘着付、ＰＯＮ−０１であり、２５％圧縮荷重が０．０００１〜０．０００５ＭＰａである特性を有する。スポンジゴム部材１５は、サンプル毛髪を多少沈んだ状態で支持して、全部のサンプル毛髪が接触子２１に一様に当るようにすると共に、その摩擦力によって、センサ装置１２が移動するときに、全部のサンプル毛髪に適度のテンションを付与する。
【００１７】
支柱部材１６は、４本であり、ベース１３の各コーナ部に固定して立設してあり、上端に段部１６ａとボルト部１６ｂとを有する。ボルト部１６ｂは段部１６ａより上に突き出ている。支柱部材１６のベース１３から段部１６ａまでの高さはＨである。段部１６ａはセンサモジュール２０のスポンジゴム部材１５の上面よりの高さ位置を決定する構造部を構成する。即ち、支柱部材１６の段部１６ａは、ベース１３に対する上板１７の高さを決定して、センサモジュール２０のスポンジゴム部材１５の上面に対する高さを一義的に所定の高さとする役割を有する。ここで、所定の高さは、接触子２１がスポンジゴム部材１５に丁度接触する高さである。
【００１８】
上板１７は、その各コーナ部の孔１７ａをボルト部１６ｂに嵌合させて、段部１６ａに支持されて、ボルト部１６ｂにねじ込んであるナット２６によって固定してある。この状態で、接触子２１がスポンジゴム部材１５に接触している。
【００１９】
ナット２６を弛めることによって、センサモジュール２０が上板１７と共に上方に少し移動可能とされる。ナット２６を弛め、上板１７をＺ１方向に引き上げることによって、接触子２１をスポンジゴム部材１５より浮かして、接触子２１とスポンジゴム部材１５との間に隙間を形成することが出来る。なお、ナット２６を外した場合には、センサモジュール２０が上板１７と共に上方に取外され、センサ装置１２は、上面が開放され、スポンジゴム部材１５の上面が露出される。
【００２０】
再度、図１を参照するに、ステージレール４０はその軸線をＸ１−Ｘ２方向に一致させれ設置してある。ステージレール４０の内部にはスクリュー軸４１が通っている。ステージレール４０上にはスライダ４２がスライド可能に設けてある。スライダ４２はそのナット部がスクリュー軸４１と嵌合している。ステージレール４０の端には、エンコーダ３１付きのステッピングモータ３０が取り付けてある。ステッピングモータ３０によってスクリュー軸４１が回転され、スクリュー軸４１が回転することによってスライダ４２がステージレール４０上をＸ１−Ｘ２方向にスライドする。
【００２１】
スライダ４２とセンサ装置１２とがアーム部材４５によって接続してある。アーム部材４５はセンサ装置１２のうち上板１７の上面にねじ止めしてある。
【００２２】
スライダ４２がステージレール４０上をスライドすることによって、センサ装置１２がＸ１方向に移動される。
【００２３】
７０はサンプル毛髪固定部であり、サンプル毛髪の一端を約１００本のサンプル毛髪がＹ１−Ｙ２方向に並んだ状態で固定する。サンプル毛髪固定部７０は初期位置のセンサ装置１２よりもＸ２側に配置してある。
［制御装置１００の構成］
図１を参照するに、制御装置１００は、マイクロコンピュータ１０１よりなる。
【００２４】
制御装置１００に関連して、ＡＤカード１０６、ステッピングモータ駆動回路１０７、及び表示装置駆動回路１０８が設けてある。マイクロコンピュータ１０１には、ステッピングモータ３０を駆動するプログラム、サンプリングしたデータを分散処理するプログラム等が内蔵してある。
［表示装置１１０の構成］
表示装置１１０は液晶パネルであり、表示装置駆動回路１０８と接続してある。
［毛髪性状計測システム１０の操作及び動作］
次に、毛髪性状計測システム１０の操作及び動作について説明する。
［測定準備動作］
多数本のサンプル毛髪１５０を一端を、サンプル毛髪固定部７０にＹ方向に密に並べて固定する。サンプル毛髪固定部７０のＸ１端は自由である。
【００２５】
また、図３（Ａ）に示すように、センサ装置１２のナット２６を弛めて外し、上板１７を取り外し、同図（Ｂ）に示すように、サンプル毛髪１５０のサンプル毛髪固定部７０に近い部分をスポンジゴム部材１５の上面をＸ方向に横切るように載せ、同図（Ｃ）に示すように、上板１７を取り付けて蓋をするようにし、最後に、同図（Ｄ）に示すように、ナット２６を締めて、上板１７を固定する。なお、センサ装置１２はサンプル毛髪固定部７０の近くに位置している。
【００２６】
これによって、図３（Ｄ）にように、サンプル毛髪１５０がセンサ装置１２を横切り、且つ図４に拡大して示すように接触子２１がスポンジゴム部材１５の上面に載っているサンプル毛髪１５０に接触した状態となる。図４は図３（Ｄ）中、線IV-IVに沿う断面を拡大して示す。サンプル毛髪１５０は、一部がスポンジゴム部材１５にめり込んでおり、上側の面が同じ面に揃うようになって、接触子２１は全部のサンプル毛髪１５０と一様に接触している。
［走査動作］
操作者がスタート操作行うと、ステッピングモータ３０が駆動され、スクリュー軸４１が回転され、スライダ４２がステージレール４０上をＸ１方向にスライドし、センサ装置１２がＸ１方向に移動を開始する。センサ装置１２は、人が手の指と指との間でサンプル毛髪を挟みつつ髪をとかすのと同じように、サンプル毛髪１５０に適度のテンションを与えながら移動してサンプル毛髪１５０をその自由端の方向に向かって走査する。
【００２７】
ステッピングモータ３０は、最初に、１秒間、第１の回転速度Ｎ１で回転され、一旦停止され、１．５秒間停止状態とされ、次いで、第２の回転速度Ｎ２で３秒間回転される。第１の回転速度Ｎ１は、スライダ４２及びセンサ装置１２を第１の速度Ｖ１で移動させる回転速度である。第２の回転速度Ｎ２は、第１の回転速度Ｎ１の５倍であり、スライダ４２及びセンサ装置１２を第２の速度Ｖ２で移動させる回転速度である。
【００２８】
センサ装置１２の第１の速度Ｖ１での１秒間の移動を、「プレ走査」という。センサ装置１２の第２の速度Ｖ２での３秒間の移動を、「測定走査」という。
【００２９】
図５（Ａ）は、プレ走査の途中の状態を示す。サンプル毛髪１５０に弛みがあると測定誤差が大きくなる傾向がある。プレ走査は、サンプル毛髪１５０のうちサンプル毛髪固定部７０とセンサ装置１２との間の部分に存在している弛みを解消するために行なわれ、プレ走査によって、弛みが解消され、サンプル毛髪１５０のうちサンプル毛髪固定部７０とセンサ装置１２との間の部分は張った状態となる。
【００３０】
センサ装置１２は一旦停止する。センサ装置１２が停止している間にノイズデータをサンプリングする。このノイズデータは、後述するように、本来のデータの補正するのに利用される。また、ノイズデータをサンプリングは、センサ装置１２が停止してから１．０秒遅れて、即ち、移動してきたセンサ装置１２が停止ときにセンサ装置１２に発生した振動が消滅した状態で行なわれる。続いてセンサ装置１２は第２の速度Ｖ２で移動を開始する。
【００３１】
図５（Ｂ）は、測定走査の途中の状態を示す。スポンジゴム部材１５は、サンプル毛髪１５０のうち順次自由端に近くなる部分を支持し、接触子２１はスポンジゴム部材１５の上面に支持された部分のサンプル毛髪１５０の上面側を擦って走査する。
【００３２】
接触子２１はサンプル毛髪１５０の表面をトレースしサンプル毛髪１５０の表面の状況に応じてＺ１−Ｚ２方向に変位して振動する。接触子２１の振動をうけてＰＶＤＦフィルム２３が電圧を発生し、この電圧の変動がセンサ装置１２の出力として送り出され、毛髪性状が計測される。
【００３３】
測定走査の開始に合わせて、データがサンプリング周波数２５ｋＨｚでサンプリングされて、ＡＤカード１０６を経由してマイクロコンピュータ１０１に取り込まれる。測定時間は３秒間である。
【００３４】
センサ装置１２は３秒間移動したのちに停止する。
【００３５】
ここで、（１）支柱部材１６の存在によってセンサモジュール２０のスポンジゴム部材１５に対する高さ位置は、取り外し取り付けを繰り返しても変わらず、接触子２１のサンプル毛髪１５０への接触変位は一定であること、（２）スポンジゴム部材１５の採用によって、サンプル毛髪１５０はスポンジゴム部材１５に一部沈み込んで支持され、各サンプル毛髪の上面の不揃いが改善され、接触子２１のサンプル毛髪１５０への接触が安定していいること、（３）プレ走査によってサンプル毛髪１５０は測定誤差の原因の一つである弛みを解消されて適当に張った状態となり、測定走査は、適度のテンションが作用して張った状態にあるサンプル毛髪１５０に対してなされること、（４）サンプリングをノイズデータによって補正していること等によって、センサ装置１２からは精度の高いデータが出力される。
［データ解析及び表示動作］
本実施例では、評価パラメータとして分散値ＶＡＲを利用する。
【００３６】
そこで、マイクロコンピュータ１０１が、サンプリングデータを補正し、続いて、測定開始（即ち、データのサンプリング開始）から１５００ｍｓ〜２５００ｍｓの区間の分散値ＶＡＲを、次式（１）に基づいて求める。
【００３７】
【数１】
2007252657.tif 000003
なお、測定走査から１５００ｍｓ〜２５００ｍｓの区間を選択した理由は、異なるサンプル毛髪を走査した場合のセンサ装置１２からの出力データ電圧波形を目視で比較した場合に、振幅に違いが目立った区間であるからである。
【００３８】
求められた分散値ＶＡＲが表示装置１１０に棒グラフとして表示される（図８参照）。
【００３９】
上記の準備動作及び走査動作、及びデータ解析及び表示動作を、サンプル毛髪を交換する都度行う。
［マイクロコンピュータ１０１の動作のフローチャート］
図６は、センサ装置１２をＸ１方向に移動させつつデータのサンプリングを行うときのマイクロコンピュータ１０１の動作のフローチャートを示す。
【００４０】
先ず、ステッピングモータ３０を第１の回転速度Ｎ１で、１秒間駆動させる（ＳＴ１，ＳＴ２）。次いで、ステッピングモータ３０を停止させる（ＳＴ３、ＳＴ４）。
【００４１】
ステッピングモータ３０が停止してから１秒経過したときに、ノイズデータのサンプリングを、０．５秒間行なわせる（ＳＴ４、ＳＴ５，ＳＴ６、ＳＴ７）。
【００４２】
次いで、ステッピングモータ３０を第２の回転速度Ｎ２で、３秒間駆動させる（ＳＴ８、ＳＴ１０）と共に、データのサンプリングを開始させる（ＳＴ８）。次いで、ステッピングモータ３０を停止させ（ＳＴ１１）、データのサンプリングを停止させる（ＳＴ１２）。
【００４３】
次いで、ステッピングモータ３０の最初の始動時から５００ｍｓの間のノイズデータの平均値を算出させ（ＳＴ１３）、ステッピングモータ３０の最初の始動時から３５００ｍｓの間のサンプリングデータより上記のノイズデータの平均値を減算させる（ＳＴ１４）。これによって、サンプリングデータの補正がなされる。
【００４４】
次いで、メモリからデータのサンプリング開始の時点から１５００ｍｓ〜２５００ｍｓの区間にサンプリングされたデータを読み出させる（ＳＴ１５）。
【００４５】
次いで、読み出たデータを分散処理させる（ＳＴ１６）。
【００４６】
最後に、分散処理の結果を表示させる（ＳＴ１７）。
［サンプル毛髪に対応したセンサ装置１２からの出力データ及び表示装置１１０の表示］
図７は、サンプル毛髪を走査したときのセンサ装置１２からの出力データを示し、図８は表示装置１１０の表示を示す。
【００４７】
図７（Ａ）は健康なサンプル毛髪Ｇ、同図（Ｂ）は未処理の健康サンプル毛髪Ｇ（Ｎ）、同図（Ｃ）は健康サンプル毛髪Ｇを市販のシャンプで洗浄し、そして、コンディショナー処理をしたコンディショナー処理済み健康サンプル毛髪Ｇ（ＳＣ）である。
【００４８】
図７（Ｄ）はハイブリーチ処理、超音波処理を施して人工的に損傷させたサンプル毛髪Ｂ、同図（Ｅ）は未処理の損傷サンプル毛髪Ｂ（Ｎ）、同図（Ｆ）は損傷サンプル毛髪Ｂを市販のシャンプで洗浄し、そして、コンディショナー処理をしたコンディショナー処理済み損傷サンプル毛髪Ｂ（ＳＣ）である。
【００４９】
図７（Ｇ）はセンサ装置１２が未処理健康サンプル毛髪Ｇ（Ｎ）を前記のように走査した場合の、センサ装置１２からの電圧出力データの波形である。ノイズデータのサンプリング開始の時点から５２０ｍｓ付近でピークが表れ、１５００ｍｓ〜２５００ｍｓの区間ではデータの波形が安定していることが分かる。
【００５０】
図７（Ｇ）に示すデータのうち特徴が表れた部分を図７（Ｈ）、（Ｉ）に示す。図７（Ｈ）は、図７（Ｇ）に示すデータのうち、データのサンプリング開始の時点から５００ｍｓ〜５５０ｍｓの区間のデータの波形である。図７（Ｉ）は、図７（Ｇ）に示すデータのうち、データのサンプリング開始の時点から１５００ｍｓ〜２５００ｍｓの区間のデータの波形である。図７（Ｉ）の縦軸のスケールは、図７（Ｈ）の縦軸のスケールの約１０倍である。
【００５１】
図７（Ｌ）、（Ｍ）はセンサ装置１２が処理済み健康サンプル毛髪Ｇ（ＳＣ）を走査した場合の電圧出力データの波形であり、図７（Ｌ）は、５００ｍｓ〜５５０ｍｓの区間のデータの波形、図７（Ｍ）は、１５００ｍｓ〜２５００ｍｓの区間のデータの波形を示す。
【００５２】
図７（Ｊ）、（Ｋ）はセンサ装置１２が未処理損傷サンプル毛髪Ｂ（Ｎ）を走査した場合の電圧出力データの波形であり、図７（Ｊ）は、５００ｍｓ〜５５０ｍｓの区間のデータの波形、図７（Ｋ）は、１５００ｍｓ〜２５００ｍｓの区間のデータの波形を示す。
【００５３】
図７（Ｎ）、（Ｏ）はセンサ装置１２が処理済損傷サンプル毛髪Ｂ（ＳＣ）を走査した場合の電圧出力データの波形であり、図７（Ｎ）は、５００ｍｓ〜５５０ｍｓの区間のデータの波形、図７（Ｏ）は、１５００ｍｓ〜２５００ｍｓの区間のデータの波形を示す。
【００５４】
上記のデータを比較して見ると、未処理損傷サンプル毛髪Ｂ（Ｎ）の場合が、５２０ｍｓの付近のピークが他の毛髪に比べて大きいこと、１５００ｍｓ〜２５００ｍｓの区間のデータの波形の振幅が大きいことが分かる。これは、接触子２１が未処理損傷サンプル毛髪Ｂ（Ｎ）を走査するときに接触子２１の上下振動（変位）が激しいためである。
【００５５】
また、１５００ｍｓ〜２５００ｍｓの区間のデータの波形の振幅に着目してみると、コンディショナー処理をすると、元が損傷サンプル毛髪Ｂである場合（図７（Ｋ）と図７（Ｏ）とを比較した場合）であっても、元が健康サンプル毛髪Ｇの場合（図７（Ｉ）と図７（Ｍ）とを比較した場合）であっても、振幅が小さくなっており差異があることが分かる。本発明はこのことに着目してなされている。
【００５６】
図７（Ｋ）に示すデータを分散処理して分散値ＶＡＲを求めると、３．６×１０−６となり、毛髪性状が図８中コラム２００Ｂ（Ｎ）で表示される。図７（Ｏ）に示すデータを分散処理して分散値ＶＡＲを求めると、１．２×１０−６となり、毛髪性状がコラム２００Ｂ（ＳＣ）で表示される。
【００５７】
図１の表示装置１１０の液晶パネルに、コラム２００Ｂ（Ｎ）とコラム２００Ｂ（ＳＣ）とが表示され、これを見る人は、目視でもって、損傷毛髪をコンディショナー処理をすることによって、矢印２０１で示すように、手触り感が改善されたことを認識することが出来る。
【００５８】
図７（Ｉ）に示すデータを分散処理して分散値ＶＡＲを求めると、２．１×１０−６となり、毛髪性状が図８中コラム３００Ｇ（Ｎ）で表示される。図７（Ｍ）に示すデータを分散処理して分散値ＶＡＲを求めると、１．４×１０−６となり、毛髪性状がコラム３００Ｇ（ＳＣ）で表示される。
【００５９】
図１の表示装置１１０の液晶パネルに、コラム３００Ｇ（Ｎ）とコラム３００Ｇ（ＳＣ）とが表示され、これを見る人は、目視でもって、健康毛髪の場合であっても、コンディショナー処理をすることによって、矢印３０１で示すように、手触り感が改善されたことを認識することが出来る。
［パワースペクトル密度（ＰＳＤ）の面積（FET AREA）を評価パラメータとした例］
次に、評価パラメータとして、パワースペクトル密度（ＰＳＤ）の面積（FET AREA）を選択した場合について説明する。
【００６０】
図９（Ａ）は、未処理健康サンプル毛髪Ｇ（Ｎ）についての図７（Ｉ）に示すデータと同じデータであり、これを高速フーリエ変換すると、図９（Ｂ）に示すようになる。図９（Ｂ）の縦軸はＰＳＤである。
【００６１】
図９（Ｂ）のうち、パチニ小体の受容周波数である２５０〜５００Ｈｚの領域Ｓの面積（FET AREA）は、７．１×１０−４となり、毛髪性状が図９（Ｃ）中コラム３００Ｇ（Ｎ）で表示される。
【００６２】
図７（Ｍ）に示すデータの２５０〜５００Ｈｚの領域の面積（FET AREA）は、５．５×１０−４となり、毛髪性状が図９（Ｃ）中コラム５００Ｇ（ＳＣ）で表示される。
【００６３】
図１の表示装置１１０の液晶パネルに、コラム５００Ｇ（Ｎ）とコラム５００Ｇ（ＳＣ）とが表示され、これを見る人は、目視でもって、健康毛髪をコンディショナー処理をすることによって、矢印５０１で示すように、手触り感が改善されたことを認識することが出来る。
【００６４】
図７（Ｋ）に示すデータの２５０〜５００Ｈｚの領域の面積（FET AREA）は、９．０×１０−４となり、毛髪性状が図９（Ｃ）中コラム４００Ｂ（Ｎ）で表示される。
【００６５】
図７（Ｏ）に示すデータの２５０〜５００Ｈｚの領域の面積（FET AREA）は、７．５×１０−４となり、毛髪性状が図９（Ｃ）中コラム４００Ｂ（ＳＣ）で表示される。
【００６６】
図１の表示装置１１０の液晶パネルに、コラム４００Ｂ（Ｎ）とコラム４００Ｂ（ＳＣ）とが表示され、これを見る人は、目視でもって、損傷毛髪をコンディショナー処理をすることによって、矢印４０１で示すように、手触り感が改善されたことを認識することが出来る。
［ピーク誘起起電力の最小値を評価パラメータとした例］
次に、評価パラメータとして、図２のセンサ装置１２内のＰＶＤＦフィルム２３に誘起される誘起起電力を選択した場合について説明する。
【００６７】
これは、図７（Ｈ），（Ｊ），（Ｌ），（Ｎ）に示すように、データのサンプリング開始の時点から５２０ｍｓ付近で表れるピークに着目したものである。このピークは停止ししていたセンサ装置１２が第２の速度Ｖ２で移動を開始するときの衝撃が原因で発生する。
【００６８】
また、ピークの電圧を高感度に得るため、計測電圧ｖｏに代えて誘起起電力Ｖｉを利用するようにしている。
【００６９】
図１０（Ａ）は、計測器接続モデルを示す。ＲはＡ／Ｄである。図１０（Ｂ）はＰＶＤＦフィルム２３に作用する圧力、図１０（Ｂ）はＰＶＤＦフィルム２３に誘起される誘起起電力Ｖｉ、図１０（Ｃ）は計測電圧Ｖｏである。
【００７０】
計測電圧Ｖｏに基づいて、誘起起電力Ｖｉは、以下の式（２）によって算出される。
【００７１】
【数２】
2007252657.tif 000004
ここで、ｎは計測データ点数、Ｔｓはサンプリング周期である。
【００７２】
図１０（Ａ）の計測器接続モデルにおいて、ＲＣ値がＶｏ値に比べて非常に小さい値をとるため、計測電圧Ｖｏは圧力微分型の出力として得られる。よって、計測電圧Ｖｏを上記の式（２）にしたがって誘起起電力Ｖｉに変換することで、センサ装置１２は高感度な圧力センサとなる。
【００７３】
図１１は図７（Ｈ），（Ｊ），（Ｌ），（Ｎ）の計測電圧Ｖｏの信号を、上記の式にしたがって変換して得た誘起起電力Ｖｉを示す。
【００７４】
未処理健康サンプル毛髪Ｇ（Ｎ）の誘起起電力Ｖｉの最小値Vi minは、図１２中、コラム７００Ｇ（Ｎ）で表示される。処理済み健康サンプル毛髪Ｇ（ＳＣ）の誘起起電力Ｖｉの最小値Vi minは、図１２中、コラム７００Ｇ（ＳＣ）で表示される。
【００７５】
図１の表示装置１１０の液晶パネルに、コラム７００Ｇ（Ｎ）とコラム７００Ｇ（ＳＣ）とが表示され、これを見る人は、目視でもって、健康毛髪をコンディショナー処理をすることによって、矢印７０１で示すように、手触り感が改善されたことを認識することが出来る。
【００７６】
未処理損傷サンプル毛髪Ｂ（Ｎ）の誘起起電力Ｖｉの最小値Vi minは、図１２中、コラム６００Ｂ（Ｎ）で表示される。処理済み損傷サンプル毛髪Ｂ（ＳＣ）の誘起起電力Ｖｉの最小値Vi minは、図１２中、コラム６００Ｂ（ＳＣ）で表示される。
【００７７】
図１の表示装置１１０の液晶パネルに、コラム６００Ｂ（Ｎ）とコラム６００Ｇ（ＳＣ）とが表示され、これを見る人は、目視でもって、健康毛髪をコンディショナー処理をすることによって、矢印６０１で示すように、手触り感が改善されたことを認識することが出来る。
【図面の簡単な説明】
【００７８】
【図１】本発明の実施例１になる毛髪性状計測システムを示す図である。
【図２】図１中のセンサ装置を示す図である。
【図３】測定準備動作を示す図である。
【図４】図３（Ｄ）中、線IV-IVに沿う断面を拡大して示す図である。
【図５】センサ装置のプレ走査及び測定走査を概略的に示す図である。
【図６】図１中のマイクロコンピュータの動作のフローチャートである。
【図７】サンプル毛髪に対応したセンサ装置からの出力データを示す図である。
【図８】表示装置への毛髪性状の表示を示す図である。
【図９】パワースペクトル密度の面積を評価パラメータとして行う毛髪性状の評価を説明する図である。
【図１０】計測器接続モデルを示す図である。
【図１１】ピーク誘起起電力の最小値を評価パラメータとして行う毛髪性状の評価を説明する図である。
【図１２】表示装置への毛髪性状の表示を示す図である。
【符号の説明】
【００７９】
１０  毛髪性状計測システム
１１  毛髪性状計測装置
１２  センサ装置
１３  ベース
１４  アクリル板部材
１５  スポンジゴム部材
１６  支柱部材
１６ａ  段部
１６ｂ  ボルト部
１７  上板
２０  センサモジュール
２１  接触子
２２  ケース
２３  ＰＶＤＦフィルム
２４  シリコンゴム部材
２５  アセテートフィルム
２６  ナット
３０  ステップモータ
３１  エンコーダ
７０  サンプル毛髪固定部
１００  制御装置
１０１  マイクロコンピュータ
１０５  ＬＰＦ
１０６  ＡＤカード
１０７  ステッピングモータ駆動回路
１０８  表示装置駆動回路
１１０  表示装置
１５０  サンプル毛髪
【図１】
2007252657.tif 000005
【図２】
2007252657.tif 000006
【図３】
2007252657.tif 000007
【図４】
2007252657.tif 000008
【図５】
2007252657.tif 000009
【図６】
2007252657.tif 000010
【図７】
2007252657.tif 000011
【図８】
2007252657.tif 000012
【図９】
2007252657.tif 000013
【図１０】
2007252657.tif 000014
【図１１】
2007252657.tif 000015
【図１２】
2007252657.tif 000016